(57)【要約】【課題】運転設備のある場所で取得したデータを診断するための比較データの取捨選択を容易にして、その場で運転設備の状態を判断する。【解決手段】可搬型診断装置（２）は、運転設備（７）から取得した物理量データに基づき運転設備の状態を診断する診断部（４２）と、診断部が診断対象とした物理量データと、当該物理量データに基づく診断結果を示す診断結果データとを関連付けた関連付けデータを管理するデータ管理部（４３）と、を備える。【選択図】図１
2019117430.tif 000002
【特許請求の範囲】
【請求項１】
産業施設において運転される運転設備の診断を行う可搬型診断装置であって、
前記運転設備において計測された物理量を示す物理量データを取得するデータ取得部と、
前記物理量データのうち、所定時間における物理量データに対して所定の統計処理を行うことで、前記運転設備の状態を診断する診断部と、
前記診断部が診断対象とした物理量データと、前記診断部が診断対象とした物理量データに基づく診断結果を示す診断結果データとを関連付けた関連付けデータを管理するデータ管理部と、を備える
ことを特徴とする可搬型診断装置。
【請求項２】
各種データを表示装置に表示する表示部を備え、
前記データ管理部は、複数の前記関連付けデータを管理しており、
前記表示部は、前記関連付けデータのファイル名と前記診断結果とを一対とした複数のデータをリスト形式で表示する
ことを特徴とする請求項１に記載の可搬型診断装置。
【請求項３】
前記表示部は、複数の前記関連付けデータのそれぞれに含まれる物理量データが示す物理量を、経時的なグラフとして、それぞれ表示する
ことを特徴とする請求項２に記載の可搬型診断装置。
【請求項４】
前記データ管理部は、
前記関連付けデータにおいて、前記診断部が診断対象とした物理量データに、当該物理量データの取得先である運転設備の診断に関する設備診断情報を関連付けて管理しており、
前記表示部は、
前記複数のデータをリスト形式で表示した第１ファイルリストから１つの前記関連付けデータが選択されたとき、
選択された前記関連付けデータに含まれる物理量データが示す物理量の取得先である運転設備と同一機種の運転設備についての過去の関連付けデータに関するデータを、前記第１ファイルリストとは異なる第２ファイルリストとして表示する
ことを特徴とする請求項２または３に記載の可搬型診断装置。
【請求項５】
前記データ管理部は、
前記関連付けデータにおいて、前記診断部が診断対象とした物理量データに、当該物理量データの取得先である運転設備の診断に関する設備診断情報を関連付けて管理しており、
前記表示部は、
１つの前記関連付けデータが選択されたとき、
選択された前記関連付けデータに含まれる物理量データが示す物理量を、経時的なグラフとして表示するとともに、
選択された前記関連付けデータに含まれる物理量データが示す物理量の取得先である運転設備と同一機種の運転設備についての過去の関連付けデータのうち、（１）前記運転設備の状態が正常であることを示す診断結果に関連付けられた物理量データと、（２）前記運転設備の状態が異常であることを示す診断結果に関連付けられた物理量データとの少なくともいずれかを、前記グラフとして表示する
ことを特徴とする請求項３または４に記載の可搬型診断装置。
【請求項６】
前記データ管理部は、
前記関連付けデータにおいて、前記診断部が診断対象とした物理量データに、当該物理量データの取得先である運転設備の診断に関する設備診断情報を関連付けて管理しており、
前記表示部は、
前記複数のデータをリスト形式で表示した第１ファイルリストから１つの前記関連付けデータが選択されたとき、
選択された前記関連付けデータに含まれる物理量データが示す物理量の取得先である運転設備の過去の関連付けデータに関するデータを、前記第１ファイルリストとは異なる第３ファイルリストとして表示する
ことを特徴とする請求項２または３に記載の可搬型診断装置。
【請求項７】
前記データ管理部は、
前記関連付けデータにおいて、前記診断部が診断対象とした物理量データに、当該物理量データの取得先である運転設備の診断に関する設備診断情報を関連付けて管理しており、
前記表示部は、
１つの前記関連付けデータが選択されたとき、
選択された前記関連付けデータに含まれる物理量データが示す物理量を、経時的なグラフとして表示するとともに、
選択された前記関連付けデータに含まれる物理量データが示す物理量の取得先である運転設備についての過去の関連付けデータのうち、少なくとも１つの関連付けデータに含まれる物理量データが示す物理量を、前記グラフとして表示する
ことを特徴とする請求項３または６に記載の可搬型診断装置。
【請求項８】
前記データ管理部は、前記関連付けデータにおいて、前記診断部が診断対象とした物理量データに、当該物理量データの取得先である運転設備に付帯する設備付帯情報を関連付けて管理する
ことを特徴とする請求項１から７の何れか１項に記載の可搬型診断装置。
【請求項９】
産業施設において運転される運転設備の診断を行う可搬型診断装置におけるデータ管理方法であって、
前記運転設備において計測された物理量を示す物理量データを取得するデータ取得ステップと、
前記物理量データのうち、所定時間における物理量データに対して所定の統計処理を行うことで、前記運転設備の状態を診断する診断ステップと、
前記診断ステップで診断対象とした物理量データと、前記診断ステップで診断対象とした物理量データに基づく診断結果を示す診断結果データとを関連付けた関連付けデータを管理するデータ管理ステップと、を含む
ことを特徴とするデータ管理方法。
【請求項１０】
請求項１に記載の可搬型診断装置としてコンピュータを機能させるための制御プログラムであって、前記データ取得部、前記診断部、及び前記データ管理部としてコンピュータを機能させるための制御プログラム。
【請求項１１】
請求項１から８の何れか１項に記載の可搬型診断装置と、
前記可搬型診断装置と通信可能に接続することで、前記可搬型診断装置との間で前記関連付けデータを送受信し、かつ、前記可搬型診断装置から受信した前記関連付けデータを管理するサーバと、を備える
ことを特徴とする診断システム。
【発明の詳細な説明】
【技術分野】
【０００１】
本発明は、産業施設において運転される運転設備の診断を行う可搬型診断装置に関する。
【背景技術】
【０００２】
従来から、プラント等の種々の運転設備の状態を監視するシステムが開発されている。このようなシステム等の一例が、特許文献１〜３に開示されている。
【０００３】
特許文献１には、取得したセンサデータ、及び／又は環境データを対象に、プラント又は運転設備の状態を把握し、稼働継続可能時間を推定することで、保守のスケジューリングを実施するために必要な情報を出力する方法が開示されている。
【０００４】
特許文献２には、運転監視装置及び中央監視制御装置を備えるシステムが開示されている。運転監視装置は、運転設備から収集した運転データが正常でないときに、中央監視制御装置への運転データの送信インターバルを短くする。中央監視制御装置は、運転設備の状態をリアルタイムで監視する。また、中央監視制御装置は、監視した結果が正常でないときの判断結果を報知すると共に、当該判断結果を運転監視装置に送信する。
【０００５】
特許文献３には、計測値データを含む監視情報を、監視端末に搭載されるウェブブラウザで表示可能なマークアップ言語により記述したファイルとして作成した後、当該ファイルを添付した電子メールを監視端末に送信する計測装置が開示されている。
【先行技術文献】
【特許文献】
【０００６】
【特許文献１】特開２０１３−１５２６５５号公報（２０１３年８月８日公開）
【特許文献２】特開平５−３０５７７号公報（１９９３年２月５日公開）
【特許文献３】特開２０１５−２２５６９号公報（２０１５年２月２日公開）
【発明の概要】
【発明が解決しようとする課題】
【０００７】
特許文献１〜３の技術では、運転設備から取得したデータに基づき、運転設備の状態を把握又は診断している。さらに、特許文献２の技術では、中央監視制御装置が診断結果を表示及び記憶等を行っており、また、特許文献３の技術では、診断結果と、当該診断結果を得るためのデータとを、メールの本文にテキストとして記述している。しかしながら、特許文献１〜３には、運転設備から取得したデータと診断結果とを時系列に沿って管理することについては開示されていない。
【０００８】
また、診断対象物の診断技術が確立している場合には、中央監視制御装置等で当該診断対象物の診断を行い、その結果を得ることができる。しかし、診断対象物の診断技術が確立していない場合には、技術者が、取得したセンサデータを他のデータと詳細に比較したり、当該センサデータに関連した調査を行ったりすることで、当該センサデータに基づく診断結果を得るケースが多い。そのため、診断技術が確立していない場合には、センサデータを取得した時点ですぐに診断結果を得ることができない。
【０００９】
本発明の一態様は、上述した問題に鑑み、運転設備のある場所で取得したデータを診断するための比較データの取捨選択を容易にして、その場で運転設備の状態を判断することが可能な可搬型診断装置を提供することを目的とする。
【課題を解決するための手段】
【００１０】
［１］上記の課題を解決するために、本発明の一態様に係る可搬型診断装置は、産業施設において運転される運転設備の診断を行う可搬型診断装置であって、前記運転設備において計測された物理量を示す物理量データを取得するデータ取得部と、前記物理量データのうち、所定時間における物理量データに対して所定の統計処理を行うことで、前記運転設備の状態を診断する診断部と、前記診断部が診断対象とした物理量データと、前記診断部が診断対象とした物理量データに基づく診断結果を示す診断結果データとを関連付けた関連付けデータを管理するデータ管理部と、を備える。
【００１１】
前記の構成によれば、可搬型診断装置は、物理量データと、物理量データに基づく診断結果を示す診断結果データとを関連付けた関連付けデータを管理する。そのため、ユーザは、運転設備の物理量とともに当該運転設備の診断結果を、運転設備から物理量データを取得したときに（つまり現場で運転設備の状態を計測したときに）確認することができる。
【００１２】
また、関連付けデータを管理することで、ユーザは、過去に取得した物理量及び診断結果を確認することもできる。この場合、ユーザは、今回取得した物理量及び診断結果と、過去に取得した物理量及び診断結果とを比較することが可能となる。
【００１３】
そのため、ユーザは、運転設備のある場所で取得した物理量データを診断するための比較対象となる物理量データの取捨選択を容易にして、その場で運転設備の状態を判断することが可能となる。つまり、可搬型診断装置の利便性を向上させることができる。
【００１４】
［２］本発明の一態様に係る可搬型診断装置では、各種データを表示装置に表示する表示部を備え、前記データ管理部は、複数の前記関連付けデータを管理しており、前記表示部は、前記関連付けデータのファイル名と前記診断結果とを一対とした複数のデータを、リスト形式で前記表示装置に表示しても構わない。
【００１５】
前記の構成によれば、過去に取得した物理量データを含む関連付けデータのファイル名と、当該物理量データに基づく診断結果とを一対としてリスト形式で表示する。そのため、ユーザは、過去の関連付けデータを容易に把握することが可能となる。また、ユーザは、診断結果を確認することができるため、診断結果を用いて関連付けデータの選択を容易に行うことが可能となる。
【００１６】
［３］本発明の一態様に係る可搬型診断装置では、前記表示部は、複数の前記関連付けデータのそれぞれに含まれる物理量データが示す物理量を、経時的なグラフとして、それぞれ表示しても構わない。
【００１７】
前記の構成によれば、取得した複数の物理量をグラフ化して表示することができる。そのため、ユーザは、複数の物理量を比較することができる。
【００１８】
また、ユーザは、グラフ同士の比較により、物理量同士の相違を容易に判断することができる。そのため、表示された各グラフの相違からも、ユーザは、各物理量の取得先である運転設備の正常又は異常を判断することができる。つまり、グラフ化された複数の物理量の表示により、可搬型診断装置及びユーザによる二重の診断を行うことが可能となる。
【００１９】
［４］本発明の一態様に係る可搬型診断装置では、前記データ管理部は、前記関連付けデータにおいて、前記診断部が診断対象とした物理量データに、当該物理量データの取得先である運転設備の診断に関する設備診断情報を関連付けて管理しており、前記表示部は、前記複数のデータをリスト形式で表示した第１ファイルリストから１つの前記関連付けデータが選択されたとき、選択された前記関連付けデータに含まれる物理量データが示す物理量の取得先である運転設備と同一機種の運転設備についての過去の関連付けデータに関するデータを、前記第１ファイルリストとは異なる第２ファイルリストとして表示しても構わない。
【００２０】
前記の構成によれば、ユーザは、比較対象となり得る、取得先である運転設備と同一機種の運転設備についての過去の関連付けデータへのアクセスを容易に行うことが可能となる。
【００２１】
［５］本発明の一態様に係る可搬型診断装置では、前記データ管理部は、前記関連付けデータにおいて、前記診断部が診断対象とした物理量データに、当該物理量データの取得先である運転設備の診断に関する設備診断情報を関連付けて管理しており、前記表示部は、１つの前記関連付けデータが選択されたとき、選択された前記関連付けデータに含まれる物理量データが示す物理量を、前記グラフとして表示するとともに、選択された前記関連付けデータに含まれる物理量データが示す物理量の取得先である運転設備と同一機種の運転設備についての過去の関連付けデータのうち、（１）前記運転設備の状態が正常であることを示す診断結果に関連付けられた物理量データと、（２）前記運転設備の状態が異常であることを示す診断結果に関連付けられた物理量データとの少なくともいずれかを、前記グラフとして表示しても構わない。
【００２２】
前記の構成によれば、ユーザは、任意の関連付けデータを選択した場合に、選択された関連付けデータに係る物理量のグラフと、当該グラフの比較対象となる関連付けデータに係る物理量のグラフとをそれぞれ確認することができる。そのため、ユーザは、各関連付けデータの確認を素早く行うことができる。また、ユーザは、選択された物理量の取得先である運転設備の正常又は異常を、同一機種の過去の物理量に基づき判断することができる。
【００２３】
［６］本発明の一態様に係る可搬型診断装置では、前記データ管理部は、前記関連付けデータにおいて、前記診断部が診断対象とした物理量データに、当該物理量データの取得先である運転設備の診断に関する設備診断情報を関連付けて管理しており、前記表示部は、前記複数のデータをリスト形式で表示した第１ファイルリストから１つの前記関連付けデータが選択されたとき、選択された前記関連付けデータに含まれる物理量データが示す物理量の取得先である運転設備の過去の関連付けデータに関するデータを、前記第１ファイルリストとは異なる第３ファイルリストとして表示しても構わない。
【００２４】
前記の構成によれば、ユーザは、比較対象となり得る、取得先の運転設備についての過去の関連付けデータへのアクセスを容易に行うことが可能となる。
【００２５】
［７］本発明の一態様に係る可搬型診断装置では、前記データ管理部は、前記関連付けデータにおいて、前記診断部が診断対象とした物理量データに、当該物理量データの取得先である運転設備の診断に関する設備診断情報を関連付けて管理しており、前記表示部は、１つの前記関連付けデータが選択されたとき、選択された前記関連付けデータに含まれる物理量データが示す物理量を、前記グラフとして表示するとともに、選択された前記関連付けデータに含まれる物理量データが示す物理量の取得先である運転設備についての過去の関連付けデータのうち、少なくとも１つの関連付けデータに含まれる物理量データが示す物理量を、前記グラフとして表示しても構わない。
【００２６】
前記の構成によれば、ユーザは、任意の関連付けデータを選択した場合に、選択された関連付けデータに係る物理量のグラフと、当該グラフの比較対象となる関連付けデータに係る物理量のグラフとをそれぞれ確認することができる。そのため、ユーザは、各関連付けデータの確認を素早く行うことができる。
【００２７】
また、ユーザは、選択された物理量を、当該物理量の取得先である運転設備についての過去の物理量と比較することができる。そのため、ユーザは、例えば経時的な物理量の変化を確認することで、運転設備の経時的な状態変化を推察することができる。
【００２８】
［８］本発明の一態様に係る可搬型診断装置では、前記データ管理部は、前記関連付けデータにおいて、前記診断部が診断対象とした物理量データに、当該物理量データの取得先である運転設備に付帯する設備付帯情報を関連付けて管理しても構わない。
【００２９】
設備付帯情報としては、運転設備が設置された施設名、運転設備の運転積算時間、運転設備の周囲の温湿度、又は運転設備の周囲の気圧等が挙げられる。前記の構成によれば、関連付けデータがこのような設備付帯情報を含むため、ユーザによる関連付けデータの確認時等、関連付けデータに対する後の処理において、関連付けデータの活用性を向上させることができる。
【００３０】
また、複数の関連付けデータが管理されている場合、可搬型診断装置は、設備付帯情報を考慮して関連付けデータを選択したり、選択した関連付けデータに係る物理量のグラフを表示したりすることができる。可搬型診断装置は、例えば、互いに類似する計測条件（設備付帯情報に含まれる各種パラメータ）に係る複数の関連付けデータを、選択した関連付けデータの比較対象の関連付けデータとして選択することができる。
【００３１】
［９］本発明の一態様に係るデータ取得方法は、産業施設において運転される運転設備の診断を行う可搬型診断装置におけるデータ管理方法であって、前記運転設備において計測された物理量を示す物理量データを取得する取得ステップと、前記物理量データのうち、所定時間における物理量データに対して所定の統計処理を行うことで、前記運転設備の状態を診断する診断ステップと、前記診断ステップで診断対象とした物理量データと、前記診断ステップで診断対象とした物理量データに基づく診断結果を示す診断結果データとを関連付けた関連付けデータを管理するデータ管理ステップと、を含む。
【００３２】
前記の方法によれば、前記［１］に係る可搬型診断装置と同様の効果を奏する。
【００３３】
［１０］本発明の各態様に係る可搬型診断装置は、コンピュータによって実現してもよく、この場合には、コンピュータを前記可搬型診断装置が備える各部（ソフトウェア要素）として動作させることにより前記可搬型診断装置をコンピュータにて実現させる可搬型診断装置の制御プログラム、およびそれを記録したコンピュータ読み取り可能な記録媒体も、本発明の範疇に入る。
【００３４】
［１１］本発明の一態様に係る診断システムは、前記［１］から［８］の何れか１項に記載の可搬型診断装置と、前記可搬型診断装置と通信可能に接続することで、前記可搬型診断装置との間で前記関連付けデータを送受信し、かつ、前記可搬型診断装置から受信した前記関連付けデータを管理するサーバと、を備える。
【００３５】
前記の構成によれば、サーバでの関連付けデータの管理及び利用が可能となる。また、サーバが、例えば複数の可搬型診断装置と通信可能に接続することができる場合には、複数の可搬型診断装置からの関連付けデータを集約して管理することで、可搬型診断装置間で相互に関連付けデータを利用することができる。
【発明の効果】
【００３６】
本発明の一態様に係る可搬型診断装置及びデータ管理方法によれば、運転設備のある場所で取得したデータを診断するための比較データの取捨選択を容易にして、その場で運転設備の状態を判断することが可能となる。
【図面の簡単な説明】
【００３７】
【図１】可搬型診断装置の構成の一例を示す図である。
【図２】診断システムの一例を示す図である。
【図３】可搬型診断装置の形態の一例を示す図である。
【図４】関連付けデータがリスト形式で表示されたときの表示画像の一例を示す図である。
【図５】「同一機種比較」が選択されたときの表示画像の一例を示す図である。
【図６】物理量のグラフの一例を示す図であり、（ａ）は正常な場合のグラフの一例を示す図であり、（ｂ）〜（ｄ）は異常な場合のグラフの一例を示す図である。
【図７】「同一機体比較」が選択されたときの表示画像の一例を示す図である。
【図８】可搬型診断装置における処理の一例を示すフローチャートであり、（ａ）は、可搬型診断装置におけるデータ管理方法の一例を示すフローチャートであり、（ｂ）は、関連付けデータ及び／又は物理量のグラフの表示方法の一例を示すフローチャートである。
【発明を実施するための形態】
【００３８】
〔実施形態１〕
以下、本発明の一実施形態について、詳細に説明する。
【００３９】
＜診断システム＞
図２を用いて、診断システム１の一例について説明する。図２は、診断システム１の一例を示す図である。
【００４０】
診断システム１は、水処理、ゴミ処理等のインフラストラクチャに係る各種施設、又は産業用プラント等に設置された運転設備７で計測された各種データに基づき、運転設備７の状態を診断し、ユーザ等に診断結果を提供することが可能なシステムである。診断システム１は、主として、可搬型診断装置２、表示装置３、サーバ４、専用回線網５、センサ６、及び運転設備７を備えている。
【００４１】
可搬型診断装置２は、センサ６が計測した運転設備７の物理量に基づき、運転設備７が正常な状態か異常な状態であるかといった診断を行う。可搬型診断装置２は、１つの運転設備７を診断対象としても構わないし、互いに異なる場所に設置された複数の運転設備７を診断対象としても構わない。可搬型診断装置２は、複数の運転設備７を診断対象とする場合、後述の関連付けデータを運転設備７毎に管理する。また、可搬型診断装置２は、１機種の運転設備７を診断対象としても構わないし、複数機種の運転設備７を診断対象としても構わない。また、ユーザは、可搬型診断装置２を持ち運ぶことで、運転設備７のある場所（現場、現地）で運転設備７の診断を行うことができる。可搬型診断装置２の具体的な構成については後述する。
【００４２】
表示装置３は、可搬型診断装置２から送信された各種データを表示する。表示装置３は、例えばＷＥＢブラウザ機能を有しており、表示された各種データに対するユーザ操作を受付け可能である。表示装置３は、例えば、携帯型情報端末（例：タブレット）で実現される。
【００４３】
サーバ４は、可搬型診断装置２と通信可能に接続することで、可搬型診断装置２との間でデータの送受信を行う。本実施形態では、サーバ４は、後述する物理量データ、及び診断結果データを少なくとも含む関連付けデータを、可搬型診断装置２から受信することで、関連付けデータを管理する。
【００４４】
また、サーバ４は、診断結果データを受付けることで、診断結果データが示す診断結果を含む診断レポート（ユーザ等への提示用の所定のファイル（例：ＰＤＦファイル））を生成しても構わない。サーバ４は、生成した診断レポートを、可搬型診断装置２へフィードバックしたり、メールに添付してユーザに直接送信したりする。
【００４５】
専用回線網５は、可搬型診断装置２とサーバ４との間での通信を可能とするセキュアな回線網である。
【００４６】
センサ６は、運転設備７に関する各種データを計測する。センサ６は、各種データのそれぞれを計測するための専用のセンサであっても構わない。センサ６は、計測した各種データを、可搬型診断装置２に送信する。
【００４７】
センサ６が計測するデータとしては、例えば、運転設備７における物理量を示す物理量データが挙げられる。物理量としては、例えば、運転設備７の振動を示す値、運転設備７が発する音響を示す値、又は運転設備７の所定箇所を流れる電流値が挙げられる。センサ６は、物理量データ以外に、運転設備７の運転積算時間を示すデータ、又は、運転設備７の周辺環境の状態を示す環境データ（例：温度、湿度、気圧、又は水質）等を計測しても構わない。物理量データ以外のこれらのデータは、運転設備７に付帯する設備付帯情報と換言できる。また、この設備付帯情報には、運転設備７が設置されている施設名を示す情報が含まれていても構わない。
【００４８】
運転設備７は、上述した各種施設又はプラントに設置された、可搬型診断装置２が診断対象とする設備（製品、機器、機材等を含む）全般である。運転設備７としては、例えば、ポンプ、バルブ、脱水機、攪拌機、破砕機もしくは農業機械等の、環境機器又は機械設備が挙げられる。つまり、運転設備７は、水処理施設、工業施設又は農業施設を含む産業施設等において運転される設備全般である。
【００４９】
なお、図２に示すように、サーバ４と接続される可搬型診断装置２は複数存在しても構わない。この場合、サーバ４は、可搬型診断装置２のそれぞれと専用回線網５を介してセキュアにデータの送受信を行う。また、サーバ４は、可搬型診断装置２から受信したデータを、可搬型診断装置２又は運転設備７毎に管理しても構わない。
【００５０】
＜可搬型診断装置の形態＞
図３を用いて、可搬型診断装置２の形態について説明する。図３は、可搬型診断装置２の形態の一例を示す図である。
【００５１】
図３に示すように、取手が設けられた開閉式のケース（例：ジュラルミン製）に、可搬型診断装置２及び表示装置３が内蔵されている。これにより、ユーザは、可搬型診断装置２及び表示装置３を持ち運ぶことができる。可搬型診断装置２は、主として、センサコネクタ２１、コントローラ２２、バッテリ２３、及び備品収納部２４を備えている。
【００５２】
センサコネクタ２１は、センサ６を接続可能とする部材である。本例では、センサコネクタ２１は、ケースの側面に設けられた凹部に格納されている。また、備品収納部２４は、工具類又はバッテリ充電のためのＡＣアダプタ等の各種備品を収納するスペースである。
【００５３】
コントローラ２２は、可搬型診断装置２の各部を統括的に制御する。コントローラ２２は、例えばＷＥＢサーバ機能を有し、表示すべき各種データを表示装置３に送信する。また、コントローラ２２は、後述の記憶部２７（図１参照）に記憶された、運転設備７の診断全般に係る各種ソフトウェア（プログラム）を実行する。つまり、本実施形態では、表示装置３には当該ソフトウェアが実装されていない。但し、表示装置３に当該ソフトウェアを実装させ、コントローラ２２としての機能を持たせても構わない。また、当該ソフトウェアは、診断対象となる運転設備７の種類等によって互いに異なる物理量の計測及び診断が可能なように、適宜変更可能であっても構わない。コントローラ２２の機能の詳細は後述する。
【００５４】
バッテリ２３は、可搬型診断装置２の各部に電力を供給する。これにより、ユーザが運転設備７まで可搬型診断装置２を持ち運び、その場（現場）で可搬型診断装置２を駆動させることができる。そのため、運転設備７における物理量の計測、及び当該物理量に基づく運転設備７の診断を簡易に行うことができる。
【００５５】
また、ケースの蓋内部には、表示装置３が着脱可能に嵌め込まれている。表示装置３が着脱可能であるため、ユーザは、例えば、持ち運び時にはケース内部に嵌め込み、各種データを確認時にはケースから取り外すことができる。従って、表示装置３の利便性を向上させることができる。但し、表示装置３は、着脱可能でなく、ケースと一体構成であっても構わない。
【００５６】
なお、本実施形態では、可搬型診断装置２及び表示装置３が別構成であるものとして説明するが、可搬型診断装置２が表示装置３を備える構成として捉えても構わない。つまり、可搬型診断装置２は、ケース及び表示装置３を含む全ての部材を含むものとして捉えても構わない。また、図３の形態は一例にすぎず、ユーザが運転設備７の近傍まで可搬型診断装置２及び表示装置３を持ち運ぶことができれば、どのような形態であっても構わない。
【００５７】
＜可搬型診断装置の具体的な構成＞
図１を用いて、可搬型診断装置２の具体的な構成について説明する。図１は、可搬型診断装置２の構成の一例を示す図である。
【００５８】
図１に示すように、可搬型診断装置２は、センサコネクタ２１、コントローラ２２、バッテリ２３、ＷｉＦｉ（登録商標）ルータ２５、Ｍ２Ｍルータ２６、及び記憶部２７を備えている。センサコネクタ２１及びバッテリ２３は上述したので、ここでの説明は割愛する。
【００５９】
コントローラ２２は、主として、データ取得部４１、診断部４２、データ管理部４３、表示部４４、及びデータ送受信部４５を備えている。
【００６０】
データ取得部４１は、センサ６が運転設備７において計測した物理量を示す物理量データ（生データ）を、センサコネクタ２１を介して取得する。
【００６１】
診断部４２は、データ取得部４１が取得した物理量データのうち、所定時間における物理量データに対して所定の統計処理を行うことで、運転設備７の状態を診断する。
【００６２】
物理量データは、センサ６が運転設備７の物理量を計測中、継続して取得されるが、診断のために用いる物理量データは、そのうちの一部（すなわち所定時間における物理量データ）であってよい。そのため、診断のために用いる物理量データとしては、例えば３０分間又は１時間といった所定時間において継続して取得された物理量データであってよい。
【００６３】
診断部４２は、例えば、所定の診断ロジック（アルゴリズム）に従って、物理量データに対して、所定の統計処理として周波数解析処理及び分散処理といったデータ解析を行うことで、運転設備７の診断を行う。具体的には、診断部４２は、物理量データに対して周波数解析を行った後分散処理を行い、予め設定された正常値からどの程度離れているかによって、運転設備７の状態が正常であるか異常であるかを判定する。当該判定を行うための閾値は、適宜設定又は変更可能である。また、所定の診断ロジック及び統計処理としては、公知の手法が採用されても構わない。
【００６４】
データ管理部４３は、診断部４２が診断対象とした物理量データと、当該物理量データに基づく診断結果を示す診断結果データとを関連付けた関連付けデータを管理する。データ管理部４３は、物理量データ及び診断結果データを含む関連付けデータを記憶部２７に記憶することで、当該関連付けデータを蓄積していく。つまり、データ管理部４３は、複数の関連付けデータを管理可能である。データ管理部４３は、データ送受信部４５を介して関連付けデータをサーバ４に送信することで、記憶部２７でなく、サーバ４に関連付けデータを記憶しても構わない。また、データ管理部４３は、関連付けデータ毎にファイル名を付与する。
【００６５】
また、データ管理部４３は、診断部４２が診断対象とした物理量データに、当該物理量データの取得先である運転設備７の診断に関する設備診断情報を関連付けたデータを、関連付けデータとして管理しても構わない。
【００６６】
この場合、データ管理部４３は、診断対象とした物理量データと関連する診断結果データ及び設備診断情報を、関連付けデータとして管理する。設備診断情報としては、例えば、運転設備７の機種を示す機種固有情報、並びに、当該運転設備７用の診断ロジック及び統計処理を示す診断処理情報が含まれている。その他、設備診断情報には、診断対象である運転設備７自体を特定する機体番号又は機種名が含まれていても構わない。設備診断情報は、例えばユーザにより設定される。
【００６７】
また、データ管理部４３は、診断部４２が診断対象とした物理量データに、当該物理量データの取得先である運転設備７に付帯する設備付帯情報を関連付けたデータを、関連付けデータとして管理しても構わない。
【００６８】
この場合、データ管理部４３は、診断対象とした物理量データと関連する診断結果データ、及び上述した設備付帯情報を、関連付けデータとして管理する。当該関連付けデータには、上述した設備診断情報が含まれていても構わない。
【００６９】
表示部４４は、表示装置３を制御することで、各種データを表示装置３に表示する。表示部４４は、表示装置３に、例えば、関連付けデータに含まれる物理量データが示す物理量をグラフ形式で表示したり、少なくとも物理量データを除く関連付けデータに含まれるデータの一部をリスト形式で表示したりする。
【００７０】
具体的には、表示部４４は、データ管理部４３が管理する複数の関連付けデータについて、当該関連付けデータのファイル名と、当該関連付けデータに含まれる診断結果とを少なくとも一対とした複数のデータを、リスト形式で表示する。本実施形態では、説明簡略化のため、このデータのリスト形式の表示を、関連付けデータのリスト形式の表示として説明する。また、当該データに対するユーザ操作の受付けについても、関連付けデータに対するユーザ操作の受付けとして説明する。
【００７１】
また、表示部４４は、複数の関連付けデータのそれぞれに含まれる物理量データが示す物理量を、経時的なグラフとして、それぞれ表示する。例えば、表示部４４は、リスト形式で表示した複数の関連付けデータから１つの関連付けデータが選択されたときに、当該関連付けデータに係る物理量のグラフを表示すると共に、当該グラフの比較対象とする物理量のグラフを表示する。この比較対象のグラフは、予め設定された方法で選択される。物理量データに設備付帯情報が関連付けられている場合、表示部４４は、設備付帯情報を検索することで、選択された関連付けデータに係る物理量取得時の計測条件と類似する計測条件で取得された物理量を、当該関連付けデータの比較対象として選択しても構わない。
【００７２】
さらに、表示部４４は、関連付けデータに設備診断情報及び／又は設備付帯情報が含まれている場合、設備診断情報及び／又は設備付帯情報を表示しても構わない。また、表示部４４は、物理量データを取得中（物理量の計測中）に、リアルタイムに物理量のグラフ（つまり瞬時値）を表示しても構わない。
【００７３】
データ送受信部４５は、Ｍ２Ｍルータ２６及び専用回線網５を介して、可搬型診断装置２とサーバ４との間で各種データの送受信を可能とする。
【００７４】
ＷｉＦｉルータ２５は、可搬型診断装置２から表示装置３へ各種データを送信するために、可搬型診断装置２を表示装置３と接続可能にする機器である。これにより、可搬型診断装置２は、可搬型診断装置２専用の表示装置を有する必要は無い。なお、表示装置３との通信手段はＷｉＦｉルータ２５に限らず、赤外線又はブルートゥース（登録商標）等の近距離無線通信手段であっても構わないし、有線通信手段であっても構わない。Ｍ２Ｍルータ２６は、可搬型診断装置２及びサーバ４の間での各種データの送受信を可能とするために、可搬型診断装置２をサーバ４と接続可能にする機器である。つまり、可搬型診断装置２は、表示装置３との通信経路、及びサーバ４との通信経路という、異なる２つの通信経路によって、表示装置３及びサーバ４とそれぞれ接続される。
【００７５】
記憶部２７は、各種データを記憶している。記憶部２７には、例えば、コントローラ２２によって処理される各種ソフトウェアが記憶されている。また、記憶部２７には、物理量データ、診断結果データ、設備診断情報、及び／又は設備付帯情報が関連付けデータとして記憶される。
【００７６】
＜表示形態例＞
以下、図４〜図７を用いて、データ管理部４３によって蓄積された関連付けデータを確認するときの表示形態の一例について説明する。なお、本表示形態例では、関連付けデータに設備診断情報が含まれているものとして説明する。
【００７７】
図４は、関連付けデータがリスト形式で表示されたときの表示画像の一例を示す図である。図４に示すように、表示部４４は、関連付けリストデータ及び／又は物理量のグラフを表示可能な表示画像を、表示装置３に表示する。表示画像は、ファイルリスト取得ボタン１０１、グラフ表示ボタン１０２、比較形態選択ボックス１０３、第１ファイルリストボックス１０４、第１〜第３グラフ表示領域１０５Ａ〜１０５Ｃ、及び第１〜第３統計値表示領域１０６Ａ〜１０６Ｃを含む。
【００７８】
ファイルリスト取得ボタン１０１は、データ管理部４３が管理する関連付けデータを読み込んで表示部４４が表示するためのユーザ操作を受付ける。表示部４４は、読み込んだ関連付けデータに関するデータ（少なくとも物理量データ以外のデータ）を第１ファイルリストボックス１０４に表示する。
【００７９】
表示部４４は、関連付けデータが記憶部２７で管理されている場合、関連付けデータを記憶部２７から読み込み、関連付けデータがサーバ４で管理されている場合、関連付けデータをサーバ４から読み込む。
【００８０】
グラフ表示ボタン１０２は、関連付けデータに含まれる物理量データが示す物理量をグラフとして、第１〜第３グラフ表示領域１０５Ａ〜１０５Ｃに表示部４４が表示するためのユーザ操作を受付ける。
【００８１】
前記ユーザ操作を受付けた場合、表示部４４は、第１ファイルリストボックス１０４に含まれる関連付けデータのうち、選択された関連付けデータに含まれる物理量データ（選択データ）が示す物理量を、グラフとして第１グラフ表示領域１０５Ａに表示する。また、表示部４４は、選択データとしての物理量データの比較対象となる物理量データ（参考データ）が示す物理量を、グラフとして第２グラフ表示領域１０５Ｂ及び第３グラフ表示領域１０５Ｃに表示する。なお、表示部４４は、グラフ表示ボタン１０２へのユーザ操作が無くても、関連付けデータが選択されたことを契機として、自動でグラフを表示しても構わない。
【００８２】
比較形態選択ボックス１０３は、グラフの比較形態を選択するためのユーザ操作を受付ける。比較形態選択ボックス１０３としては、例えば、「同一機種比較」、「同一機体比較」及び「選択比較」といったボックスを含む。比較形態選択ボックス１０３が選択されたときの表示形態については後述する。
【００８３】
第１ファイルリストボックス１０４は、データ管理部４３が蓄積してきた関連付けデータを、表示部４４がリスト形式で第１ファイルリストとして表示する領域である。第１ファイルリストに挙げられた複数の関連付けデータは、それぞれユーザ操作を受付け可能な状態となっている。
【００８４】
第１ファイルリストボックス１０４は、例えば、「ファイル名」、「施設」、「対象機器」、「アルゴリズム」及び「診断結果」といった項目を含む。第１ファイルリストボックス１０４に表示された関連付けデータは、各項目に対するユーザ操作によって、ソート又はフィルタ処理を実行できる。
【００８５】
「ファイル名」には、関連付けデータのファイル名が表示される。ファイル名は、例えば物理量データを取得したときに、予め設定された方法で付与される。「施設」には、設備付帯情報に基づき、運転設備７が設置されている施設名を示す情報が表示される。施設名は、例えばユーザ操作によって入力される。「対象機器」には、設備診断情報に基づき、診断対象となった運転設備７の名称が表示される。「アルゴリズム」には、設備診断情報に基づき、診断部４２が使用した診断ロジックが表示される。「診断結果」には、診断部４２による診断結果が表示される。
【００８６】
「診断結果」の項目には、例えば、運転設備７の状態が正常であることを示す「○」、異常であることを示す「×」、又は、所定期間後に異常と診断される可能性が高いことを示す「△」とした情報が表示される。但し、診断結果の表示形態はこれに限らず、表示部４４は、診断結果を数値化（レベル分け）して表示しても構わない。また、可搬型診断装置２によって、取得した物理量データに対する診断が実行されていない場合、「アルゴリズム」及び「診断結果」の項目には、診断されていないことを示す情報（図４では「未」）が表示される。
【００８７】
第１グラフ表示領域１０５Ａは、選択された関連付けデータに含まれる物理量データが示す物理量を、表示部４４がグラフとして表示する領域である。第２グラフ表示領域１０５Ｂ及び第３グラフ表示領域１０５Ｃは、過去の関連付けデータのうち、第１グラフ表示領域１０５Ａに表示されたグラフの比較対象とする関連付けデータに係る物理量を、表示部４４がグラフとして表示する領域である。
【００８８】
なお、第１〜第３グラフ表示領域１０５Ａ〜１０５Ｃのそれぞれにおいて、縦軸は、物理量の振幅、横軸は、計測開始からの各時刻における物理量に付与されるインデックス番号である。計測開始時の物理量にはインデックス番号「０」が付され、その後計測された物理量には、インデックス番号として、時系列に沿って正の数が順に付与される。つまり、第１〜第３グラフ表示領域１０５Ａ〜１０５Ｃは、経時的な物理量のグラフを表示するものである。
【００８９】
第１統計値表示領域１０６Ａは、第１グラフ表示領域１０５Ａに表示されたグラフに係る統計値を表示する領域である。同様に、第２統計値表示領域１０６Ｂは、第２グラフ表示領域１０５Ｂに表示されたグラフに係る統計値を表示する領域であり、第３統計値表示領域１０６Ｃは、第３グラフ表示領域１０５Ｃに表示されたグラフに係る統計値を表示する領域である。
【００９０】
なお、図４では、参考データに係るグラフ表示領域として、第２グラフ表示領域１０５Ｂ及び第３グラフ表示領域１０５Ｃの２つの領域が設定されているが、１つ、又は３つ以上のグラフ表示領域を設定することも可能である。また、参考データに係るグラフ表示領域が設定されていない場合（第１グラフ表示領域１０５Ａのみ設定されている場合）には、表示部４４は、例えば選択データ及び参考データをそれぞれ色違いで表示する。
【００９１】
（「同一機種比較」が選択された場合の表示形態）
表示部４４は、「同一機種比較」が選択された場合、選択された１つの関連付けデータに係る運転設備７と同一機種の運転設備７に係る関連付けデータを抽出し、当該関連付けデータに係る物理量のグラフを表示する。この同一機種の運転設備７には、前記取得先の運転設備７（診断対象の運転設備７）自体、及び、診断対象の運転設備７とは異なる運転設備７（但し同一機種）が含まれる。表示部４４は、管理されている関連付けデータのうち、例えば、設備診断情報の機器固有情報又は診断処理情報が、前記取得先の運転設備７に係るこれらの情報と一致した関連付けデータを、同一機種の運転設備７に係る関連付けデータとして抽出する。表示部４４は、例えば図５に示すような表示を行う。
【００９２】
図５は、「同一機種比較」が選択されたときの表示画像の一例を示す図である。具体的には、図５に示すように、表示部４４は、第１ファイルリストから選択された関連付けデータＤ１に係る物理量を、第１グラフ表示領域１０５Ａにグラフとして表示する。また、表示部４４は、関連付けデータＤ１に係る物理量の取得先である運転設備７と同一機種の運転設備７についての過去の関連付けデータに係る物理量のグラフを、関連付けデータＤ１に係る物理量のグラフの比較対象として表示する。
【００９３】
具体的には、表示部４４は、当該過去の関連付けデータのうち、運転設備７の状態が正常であることを示す診断結果に関連付けられた物理量データ（ＯＫデータ）が示す物理量を、第２グラフ表示領域１０５Ｂにグラフとして表示する。また、表示部４４は、当該過去の関連付けデータのうち、運転設備７の状態が異常であることを示す診断結果に関連付けられた物理量データ（ＮＧデータ）が示す物理量を、第３グラフ表示領域１０５Ｃにグラフとして表示する。
【００９４】
図６は、物理量のグラフの一例を示す図であり、（ａ）は正常な場合のグラフの一例を示し、（ｂ）〜（ｄ）は異常な場合のグラフの一例を示す。図６に示すように、正常な場合のグラフと、異常な場合のグラフとは、グラフの振幅又はピーク値が大きく異なることが分かる。そのため、これらのグラフを表示することで、選択された関連付けデータに係るグラフが、正常な場合のものに近いのか、異常な場合のものに近いのかを、目視にて判断することができる。つまり、ユーザは、グラフの目視から、運転設備７の大凡の診断を行うことができる。
【００９５】
なお、図５では、表示部４４は、比較対象としてのグラフとして、診断結果が正常な場合のグラフと、診断結果が異常な場合のグラフとを表示しているが、これに限られない。例えば、表示部４４は、正常な場合のグラフのみ、又は異常な場合のグラフのみを表示しても構わない。正常な場合のグラフ、又は異常な場合のグラフを、それぞれ複数表示しても構わない。
【００９６】
また、表示部４４は、正常な場合のグラフ、又は異常な場合のグラフをそれぞれ複数表示する場合、蓄積された複数の関連付けデータから、規定された優先順位で関連付けデータを抽出する。例えば、表示部４４は、最新又は最旧の関連付けデータから順に、関連付けデータを抽出する。
【００９７】
このような表示画像を表示することで、診断が行われていない関連付けデータが選択された場合には、ユーザは、当該関連付けデータに含まれる物理量データを用いた運転設備７の診断を、比較対象であるグラフから目視にて行うことが可能となる。また、診断結果が得られている物理量データについても、ユーザは、目視による診断を行うことで、可搬型診断装置２の診断の信頼性を検証することができる。
【００９８】
（「同一機体比較」が選択された場合の表示形態）
表示部４４は、「同一機体比較」が選択された場合、選択された１つの関連付けデータに係る運転設備７の過去の関連付けデータを抽出し、当該関連付けデータに係る物理量のグラフを表示する。表示部４４は、管理されている関連付けデータのうち、例えば、設備診断情報の機体番号が、当該運転設備７に係る機体番号と一致した関連付けデータを、同一機体に係る関連付けデータとして抽出する。表示部４４は、例えば図７に示すような表示を行う。
【００９９】
図７は、「同一機体比較」が選択されたときの表示画像の一例を示す図である。具体的には、図７に示すように、表示部４４は、第１ファイルリストから選択された関連付けデータＤ１に係る物理量を、第１グラフ表示領域１０５Ａにグラフとして表示する。また、表示部４４は、関連付けデータＤ１に係る物理量の取得先である運転設備７についての過去の関連付けデータのうち、少なくとも１つの関連付けデータに係る物理量を、第２グラフ表示領域１０５Ｂ及び第３グラフ表示領域１０５Ｃにグラフとして表示する。
【０１００】
比較対象となる過去の関連付けデータとしては、例えば、関連付けデータＤ１の取得時から、第１所定期間（例：１か月）遡った付近で取得された関連付けデータが選択される。また、第２所定期間（＞第１所定期間）（例：半年）遡った付近で取得された関連付けデータが選択される。表示部４４は、例えば、新しい方の関連付けデータに係るグラフを第２グラフ表示領域１０５Ｂに、古い方の関連付けデータに係るグラフを第３グラフ表示領域１０５Ｃに、それぞれ表示する。なお、過去の関連付けデータを表示するグラフ表示領域が３つ以上設定されている場合には、順次所定期間遡った付近で取得された関連付けデータが選択されればよい。
【０１０１】
このような表示画像を表示することで、ユーザは、同一の運転設備７についての物理量のグラフの、経時的な変化を確認することができる。
【０１０２】
（「選択比較」が選択された場合の表示形態）
表示部４４は、「選択比較」が選択された場合、選択された１つの関連付けデータに係る運転設備７、又は当該運転設備７と同一機種の運転設備７の過去の関連付けデータを抽出し、当該関連付けデータに係る物理量のグラフを表示する。過去の関連付けデータは、予め設定された方法で選択される。表示部４４は、例えば、選択した関連付けデータに係る物理量のグラフ（統計値）と類似するグラフ（統計値）を有する関連付けデータを選択する。また、表示部４４は、ユーザが選択した関連付けデータを表示しても構わない。
【０１０３】
＜表示形態の変形例＞
表示部４４は、第１ファイルリストから選択された関連付けデータに係る物理量の取得先である運転設備７と同一機種の運転設備７についての過去の関連付けデータに関するデータを、第１ファイルリストとは異なる第２ファイルリストとして表示しても構わない。この場合、第２ファイルリストを表示する第２ファイルリストボックスが、第１ファイルリストボックスとは異なる位置に設けられる。過去の関連付けデータに関するデータとは、少なくとも物理量データを除く過去の関連付けデータに含まれるデータの一部（例えば、ファイル名と診断結果とを一対としたデータ）である。
【０１０４】
また、表示部４４は、第１ファイルリストから選択された関連付けデータに係る物理量の取得先である運転設備７の過去の関連付けデータに関するデータを、第１ファイルリストとは異なる第３ファイルリストとして表示しても構わない。第３ファイルリストを表示する第３ファイルリストボックスが、第１ファイルリストボックスとは異なる位置に設けられる。なお、第２及び第３ファイルリストボックスは共用されても構わない。
【０１０５】
このように、第２又は第３ファイルリストを表示することで、比較対象となる関連付けデータへのアクセスが容易となる。
【０１０６】
なお、表示部４４は、第２ファイルリストから選択された関連付けデータに係る物理量のグラフを、第２グラフ表示領域１０５Ｂ及び第３グラフ表示領域１０５Ｃに表示しても構わない。但し、上述したように、第１ファイルリストから選択された関連付けデータに係るグラフを、第２グラフ表示領域１０５Ｂ及び第３グラフ表示領域１０５Ｃにしても構わない。
【０１０７】
＜可搬型診断装置における処理＞
図８を用いて、可搬型診断装置２における処理の一例について説明する。図８は、可搬型診断装置２における処理の一例を示すフローチャートである。
【０１０８】
（データ管理方法）
図８の（ａ）は、可搬型診断装置２におけるデータ管理方法の一例を示すフローチャートである。可搬型診断装置２では、まず、データ取得部４１は、センサ６が運転設備７において計測した物理量を示す物理量データを、センサコネクタ２１を介して取得する（Ｓ１：データ取得ステップ）。次に、診断部４２は、データ取得部４１が取得した物理量データのうち、所定時間における物理量データに対して所定の統計処理を行うことで、運転設備７の状態を診断する（Ｓ２：診断ステップ）。
【０１０９】
次に、データ管理部４３は、Ｓ２で診断対象とした物理量データと、当該物理量データに基づく診断結果を示す診断結果データとを関連付ける（Ｓ３：データ管理ステップ）。そして、データ管理部４３は、関連付けを行った関連付けデータを、可搬型診断装置２の記憶部２７又はサーバ４に保存する（Ｓ４：データ管理ステップ）。
【０１１０】
なお、データ管理部４３は、Ｓ３において、Ｓ２で診断対象とした物理量データに、設備診断情報及び／又は設備付帯情報を関連付けても構わない。この場合、Ｓ４において、物理量データと、診断結果と、設備診断情報及び／又は設備付帯情報とを関連付けた関連付けデータが保存される。
【０１１１】
（表示方法）
図８の（ｂ）は、関連付けデータ及び／又は物理量のグラフの表示方法の一例を示すフローチャートである。前提として、表示部４４は、関連付けデータ及び／又は物理量のグラフを表示可能な表示画像（初期画像）を、表示装置３に表示しているものとする。この初期画像は、例えば図４に示す表示画像において、第１ファイルリストボックス１０４に第１ファイルリストが表示されていない状態の表示画像である。
【０１１２】
まず、表示部４４は、ファイルリスト取得ボタン１０１に対するユーザ操作を受け付けたか否かを判定する（Ｓ１１）。表示部４４は、ファイルリスト取得ボタン１０１に対するユーザを受付けた場合（Ｓ１１でＹＥＳ）、記憶部２７又はサーバ４から関連付けデータを読み出すことで、第１ファイルリストを第１ファイルリストボックス１０４に表示する（Ｓ１２）。一方、表示部４４は、ファイルリスト取得ボタン１０１に対するユーザ操作を受付けるまで（Ｓ１２でＮＯ）、当該ユーザ操作の受付けを待機する。
【０１１３】
また、表示部４４は、Ｓ１３の処理前に、比較形態選択ボックス１０３の「同一機種比較」、「同一機体比較」及び「選択比較」のいずれかのボックスに対するユーザ操作を受け付けたか否かを判定している。当該ユーザ操作を受付けていない場合には、Ｓ１３で関連付けデータが選択されたときに、いずれかのボックスを選択するようユーザに促す警告を行っても構わない。
【０１１４】
次に、表示部４４は、第１ファイルリストから１つの関連付けデータが選択されたか否かを判定する（Ｓ１３）。表示部４４は、ユーザ操作により１つの関連付けデータが選択されたと判定した場合（Ｓ１３でＹＥＳ）、グラフ表示ボタン１０２に対するユーザ操作を受付けたか否かを判定する（Ｓ１４）。一方、第１ファイルリストから関連付けデータが選択されるまで（Ｓ１３でＮＯ）、第１ファイルリストが表示された状態が維持される。
【０１１５】
表示部４４は、前記ユーザ操作を受付けたと判定した場合（Ｓ１４でＹＥＳ）、選択された「同一機種比較」、「同一機体比較」又は「選択比較」において予め設定された方法（比較条件）に従って、参考データとしての物理量のグラフを表示する（Ｓ１５）。一方、表示部４４は、グラフ表示ボタン１０２に対するユーザ操作を受付けるまで（Ｓ１４でＮＯ）、当該ユーザ操作の受付けを待機する。
【０１１６】
（変形例）
図８の（ｂ）において、グラフ表示ボタン１０２に対するユーザ操作の受付処理（Ｓ１４）が行われなくても構わない。この場合、表示部４４は、１つの関連付けデータが選択された場合に（Ｓ１３でＹＥＳ）、予め設定された方法に従って自動的に、物理量のグラフを表示する（Ｓ１５）。
【０１１７】
また、図８の（ｂ）において、Ｓ１３の処理後、表示部４４は、選択された関連付けデータに係る物理量の取得先である運転設備７と同一機種の運転設備７についての過去の関連付けデータを読み出すことで、第２ファイルリストを表示しても構わない。第２ファイルリストの表示は、「同一機種比較」及び「選択比較」が選択された場合に行われる。
【０１１８】
また、Ｓ１３の処理後、表示部４４は、選択された関連付けデータに係る物理量の取得先である運転設備７についての過去の関連付けデータを読み出すことで、第３ファイルリストを表示しても構わない。第３ファイルリストの表示は、「同一機体比較」が選択された場合に行われる。
【０１１９】
第２又は第３ファイルリストが表示された場合、ユーザは、第２又は第３ファイルリストに含まれる関連付けデータから、参考データとして物理量のグラフを表示する関連付けデータを選択することができる。これに限らず、表示部４４は、予め設定された方法に従って自動的に、参考データとして物理量のグラフを表示する関連付けデータを、第２又は第３ファイルリストから選択しても構わない。そして、表示部４４は、第２又は第３ファイルリストから選択された関連付けデータに係る物理量のグラフを、第２グラフ表示領域１０５Ｂ及び第３グラフ表示領域１０５Ｃに表示する。
【０１２０】
＜主たる効果＞
以上のように、本実施形態に係る可搬型診断装置２は、取得した物理量データと、当該物理量データに基づく診断結果データとを関連付けた関連付けデータを管理する。そのため、ユーザは、運転設備７の物理量のグラフとともに当該運転設備７の診断結果を、現場で確認することができる。
【０１２１】
また、可搬型診断装置２は、関連付けデータの管理により、関連付けデータをリスト形式で表示することができる。リスト形式での表示により、ユーザは、ファイル名、運転設備７の名称、運転設備７が設置された施設名、診断結果、又は診断ロジック等を確認することで、所望の関連付けデータを容易に選択することが可能となる。
【０１２２】
また、可搬型診断装置２は、選択された関連付けデータに係る物理量のグラフと共に、当該物理量のグラフの比較対象となる物理量のグラフを表示することができる。そのため、ユーザは、グラフの目視に基づく大凡の診断結果を得たり、グラフの経時的な変化を確認したりすることができる。
【０１２３】
よって、ユーザは、運転設備７のある場所で取得した物理量データと比較するための物理量データを、物理量データを取得した運転設備７と類似の製品に係る情報、時系列情報、又は当該運転設備７の環境に係る情報等に基づき簡単に選択できる。そのため、ユーザは、運転設備７から物理量データを取得したその場で、当該運転設備７の状態を判断することが可能となる。なお、時系列情報とは、物理量データを取得した運転設備７、又は当該運転設備７と類似の製品から、当該物理量データを取得する前に取得した全物理量データを指す。
【０１２４】
また、診断結果及びグラフ等の表示により、ユーザは、運転設備７の状態を現場で簡易的に判断できる。そのため、運転設備７の保守効率を向上させることができる。
【０１２５】
なお、本実施形態では、可搬型診断装置２は、センサコネクタ２１、コントローラ２２、バッテリ２３等を備えるものとして説明した。但し、上述した可搬型診断装置２の処理は、コントローラ２２の各部で実行される。従って、コントローラ２２を可搬型診断装置と称することもできる。
【０１２６】
また、本実施形態では、可搬型診断装置２はサーバ４と送受信可能な構成であるものとして説明したが、可搬型診断装置２にサーバ４との通信手段を設けない構成としてもよい。つまり、サーバ４に関連付けデータを送信せず記憶部２７にのみ記憶する場合には、データ送受信部４５及びＭ２Ｍルータ２６は不要である。
【０１２７】
〔実施形態２〕
実施形態１では、可搬型診断装置２は、物理量データ及び診断結果データを少なくとも含む関連付けデータを、サーバ４に送信している。但し、物理量データは、センサ６が取得する振動等の生データであるため、膨大なデータ量である。そのため、物理量データをサーバ４に送信する場合には、通信時間及び通信費用がかかってしまう可能性がある。特に、専用回線網５の回線速度が低い場合には、通信時間及び通信費用がかかってしまう可能性が高く、またサーバ４に物理量データを送信できない可能性もある。
【０１２８】
本実施形態では、可搬型診断装置２は、サーバ４に物理量データを送信せずに、診断結果データを送信する。これにより、上述した通信時間及び通信費用を抑制することができる。また、可搬型診断装置２は、診断結果データとともに、設備診断情報（少なくとも機種又は機体を特定する情報）、及び設備付帯情報（少なくとも運転設備７が設置されている施設を示す施設情報）を送信しても構わない。
【０１２９】
この場合、例えば、サーバ４は、可搬型診断装置２、及び他の可搬型診断装置２（以降、第２可搬型診断装置と称する）のそれぞれから受信した診断結果データ、設備診断情報及び設備付帯情報を関連付けて管理する。この状態において、可搬型診断装置２は、設備診断情報及び設備付帯情報をサーバ４に送信することで、診断対象とした物理量データの取得先である運転設備７と、同一施設内に存在する同一機種の運転設備７に係るデータをサーバ４から取得することができる。
【０１３０】
そのため、可搬型診断装置２は、同一施設内に設置された、前記取得先である運転設備７と同一機種の運転設備７の、自装置又は第２可搬型診断装置での診断結果を表示することができる。但し、第２可搬型診断装置は複数であっても構わない。
【０１３１】
なお、サーバ４が診断レポートを作成する場合も、可搬型診断装置２のそれぞれから、物理量データが送信される必要は必ずしも無い。
【０１３２】
〔実施形態３〕
複数の可搬型診断装置２がサーバ４に関連付けデータを送信し、サーバ４が可搬型診断装置２毎に関連付けデータを管理する場合、以下のような処理を実現することも可能である。
【０１３３】
可搬型診断装置２は、サーバ４に蓄積された第２可搬型診断装置のそれぞれが取得した関連付けデータの中から、参考データとして物理量のグラフを表示する関連付けデータを送信するよう、サーバ４に要求する。可搬型診断装置２は、「同一機種比較」、「同一機体比較」及び「選択比較」のいずれが選択されているかに応じて、及び選択された関連付けデータに応じて、サーバ４から取得すべき関連付けデータを決定する。サーバ４は、関連付けデータの送信要求を受付けると、該当する関連付けデータを可搬型診断装置２に送信する。
【０１３４】
可搬型診断装置２は、サーバ４から受信した関連付けデータ、及び、記憶部２７で管理されている関連付けデータの中から、予め設定された方法に従って選択した関連付けデータに係る物理量のグラフを表示する。
【０１３５】
なお、可搬型診断装置２がファイルリスト取得ボタン１０１のユーザ操作を受付けた場合に、サーバ４は、第２可搬型診断装置が取得した関連付けデータを全て、可搬型診断装置２に送信しても構わない。この場合、可搬型診断装置２は、第２可搬型診断装置が取得した関連付けデータを含めて、第１ファイルリストを表示することができる。
【０１３６】
また、サーバ４は、通信時間及び通信費用の削減のために、可搬型診断装置２に送信する関連付けデータのうち、物理量データ以外のデータを送信しても構わない。この場合、サーバ４は、可搬型診断装置２において物理量のグラフを表示する関連付けデータが選択された場合に、その関連付けデータに係る物理量データを送信すればよい。
【０１３７】
このように、可搬型診断装置２は、第２可搬型診断装置が取得した物理量のグラフ、及び／又は診断結果を表示することができる。また、可搬型診断装置２は、第２可搬型診断装置が取得した関連付けデータについても、リスト形式で表示することができる。
【０１３８】
〔実施形態４〕
実施形態１〜３では、運転設備７の診断を可搬型診断装置２が行うことを想定している。これに限らず、サーバ４が運転設備７の診断を行う構成であっても構わない。
【０１３９】
本実施形態では、可搬型診断装置２は、サーバ４に、物理量データの全部又は一部と診断設備情報とを送信する。サーバ４は、物理量データに対して所定の統計処理を行うことで、物理量データの取得先である運転設備７の診断を行う。サーバ４は、診断結果を示す診断結果データを、送信元の可搬型診断装置２に送信する。可搬型診断装置２は、サーバ４から受信した診断結果データと、サーバ４に送信した物理量データとを関連付けて、関連付けデータとして記憶部２７に記憶する。このとき、当該物理量データに関連する診断設備情報及び／又は設備付帯情報を、関連付けデータに含めても構わない。
【０１４０】
また、サーバ４で関連付けデータを管理しても構わない。この場合、サーバ４は、可搬型診断装置２から受信した物理量データ及び診断設備情報と、当該物理量データに基づく診断結果データとを関連付けて、関連付けデータとしてサーバ４の記憶部（不図示）に記憶する。さらに、可搬型診断装置２が物理量データと共に、当該物理量データに関連する設備付帯情報を送信することで、サーバ４が設備付帯情報を含めて関連付けデータを管理しても構わない。
【０１４１】
〔ソフトウェアによる実現例〕
可搬型診断装置２の制御ブロック（特にコントローラ２２の各部）は、集積回路（ＩＣチップ）等に形成された論理回路（ハードウェア）によって実現してもよいし、ソフトウェアによって実現してもよい。
【０１４２】
後者の場合、可搬型診断装置２は、各機能を実現するソフトウェアであるプログラムの命令を実行するコンピュータを備えている。このコンピュータは、例えば１つ以上のプロセッサを備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１４３】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１４４】
１    診断システム
２    可搬型診断装置
３    表示装置
４    サーバ
７    運転設備
４１  データ取得部
４２  診断部
４３  データ管理部
４４  表示部
Ｄ１  選択された関連付けデータ
【図１】
2019117430.tif 000003
【図２】
2019117430.tif 000004
【図３】
2019117430.tif 000005
【図４】
2019117430.tif 000006
【図５】
2019117430.tif 000007
【図６】
2019117430.tif 000008
【図７】
2019117430.tif 000009
【図８】
2019117430.tif 000010